(57)【要約】【課題】  バッグ本体内に収納した荷を安定させることができるバッグの提供を課題とする。【解決手段】  バッグ本体の前面壁に、該バッグ本体内の収納領域に対して荷を収納、取出しするための開口部が設けられ、開口部に対応するバッグ本体内に、荷を支持するための棚部材が設けられ、該棚部材は荷を載置すべくバッグ本体の背面壁から開口部に向けて突出する支持台部と、支持台部上に載置された荷が支持台部から落下するのを防止する落下防止体とを有するバッグ。【選択図】  図９
2007195874.tif 000002
【特許請求の範囲】
【請求項１】
バッグ本体の前面壁に、該バッグ本体内の収納領域に対して荷を収納、取出しするための開口部が設けられ、開口部に対応するバッグ本体内に、荷を支持するための棚部材が設けられ、該棚部材は荷を載置すべくバッグ本体の背面壁から開口部に向けて突出する支持台部と、支持台部上に載置された荷が支持台部から落下するのを防止する落下防止体とを有することを特徴とするバッグ。
【請求項２】
落下防止体は、バッグ本体の背面壁における支持台部より上方位置にその左右両端部が取付けられた帯状の弾性体を有していることを特徴とする請求項1記載のバッグ。
【請求項３】
帯状の弾性体と支持台部の外側縁辺部との間に、網体が配置されていることを特徴とする請求項２記載のバッグ。
【請求項４】
棚部材は上下に複数段設けられていることを特徴とする請求項１ないし請求項３の何れかに記載のバッグ。
【請求項５】
棚部材の支持台部の外側縁辺部は、バッグ本体の開口部からバッグ本体内へ後退した位置に設けられていることを特徴とする請求項１ないし請求項４の何れかに記載のバッグ。
【請求項６】
棚部材は、その支持台部が荷を保持する保持姿勢とバッグ本体背面壁に沿うよう傾倒する傾倒姿勢とに切替え可能に設けられ、棚部材を保持姿勢と傾倒姿勢とに切替える切替え手段が設けられていることを特徴とする請求項１ないし請求項５の何れかに記載のバッグ。
【請求項７】
切替え手段は、バッグ本体内と棚部材との間に設けられた面ファスナであることを特徴とする請求項６記載のバッグ。
【請求項８】
開口部はバッグ本体の上部正面壁に設けられ、別な開口部がバッグ本体の下部正面壁に設けられ、該別な開口部に対応した位置のバッグ本体内に、該バッグ本体内を棚部材が設けられる上部領域と、それ以外の下部領域とに分割する仕切り体が設けられていることを特徴とする請求項１ないし請求項７の何れかに記載のバッグ。
【請求項９】
仕切り体は、バッグ本体の下部正面壁に設けられた別の開口部を開放した際に、該開口部の上部よりも下方に位置していることを特徴とする請求項８記載のバッグ。
【発明の詳細な説明】
【技術分野】
【０００１】
本発明は、例えば、釣行の際に釣具等を収納するリュックサック等のバッグに関する。
【背景技術】
【０００２】
従来、リュックサック等のバッグには、バッグ本体内を、複数の領域に分割するようにした構成のものがある（例えば、特許文献１、特に図７〜図１１参照）。このバッグは、バッグ本体の前面壁の上下部に、それぞれスライドファスナによって開閉される上部開閉前面壁部および下部開閉前面壁部と、バッグ本体内の上下方向途中にバッグ本体内を上下に二分する仕切り体とを設けている。
【０００３】
上記構成によれば、下部開閉前面壁部のスライドファスナを開くと、仕切り体によって二分された下部収納部が開放されるから、この下部収納部に荷を収納可能となり、上部開閉前面壁部のスライドファスナを開くと、仕切り体によって二分された上部収納部が開放されるから、この上部収納部に荷を収納可能となる。すなわち、上部収納部、下部収納部を荷の種類に応じて使い分けることが可能である。また、下部収納部に荷を収納したときは、バッグ本体の底面壁が荷の支持棚となり、上部収納部に荷を収納したときには、仕切り体が荷の支持棚になる。
【特許文献１】実用新案登録第３１１１５７４号公報
【発明の開示】
【発明が解決しようとする課題】
【０００４】
上記従来のバッグでは、単にバッグ本体の底面壁、あるいは仕切り体を支持棚としているだけだから、各収納部に荷を収納した際に荷が不安定になり易い。特に複数個の荷を各収納部に収納し、バッグを持運ぶ際には、荷どうしが衝突しあったりするようになるから、荷が傷んだり収納部内で荷が乱雑になり易い。
【０００５】
そこで本発明は上記課題に鑑み、バッグ本体内に収納した荷を安定させることができるバッグの提供を課題とする。
【課題を解決するための手段】
【０００６】
本発明のバッグは、バッグ本体の前面壁に、該バッグ本体内の収納領域に対して荷を収納、取出しするための開口部が設けられ、開口部に対応するバッグ本体内に、荷を支持するための棚部材が設けられ、該棚部材は荷を載置すべくバッグ本体の背面壁から開口部に向けて突出する支持台部と、支持台部上に載置された荷が支持台部から落下するのを防止する落下防止体とを有することを特徴としている。
【０００７】
上記構成において、開口部を開放して荷を棚部材の支持台部に収納（例えば載置）するとき、荷が保持体の弾性部に接触すると、落下防止体によって荷がバッグ本体から落下するのを防止されることになり、荷の位置が安定し易くなり、荷を収納したバッグを持運びする際に荷が移動しにくく、荷が複数保持されている場合でも、荷どうしがその場に保持される。
【０００８】
本発明のバッグでは、落下防止体は、バッグ本体の背面壁における支持台部より上方位置にその左右両端部が取付けられた帯状の弾性体を有していることを特徴としている。
【０００９】
上記構成において、荷を棚部材の支持台部に載置していない場合には、弾性体は引張り力を受けず、荷を支持台部に載置すると、その荷の大きさや個数によっては、弾性体が張られる状態となって荷がバッグ本体の背面壁側に向けて付勢されて、弾性体と背面壁側とで荷が保持されることになるから、荷が安定し易くなり、荷を収納したバッグを持運びする際に荷が移動しにくく、荷の損傷が抑制される。
【００１０】
本発明のバッグは、帯状の弾性体と支持台部の外側縁辺部との間に、網体が配置されていることを特徴としている。
【００１１】
上記構成において、弾性体によって荷が位置保持されるとともに、網体によって荷が支持台部から落ちるのを防止し、したがって弾性体と網体とで、荷の位置を安定させ、網体の伸張量が弾性体の伸張量に加算されてより大きな荷も安定する。
【００１２】
本発明のバッグでは、棚部材は上下に複数段設けられていることを特徴としている。
【００１３】
上記構成によれば、上下の棚部材それぞれに荷を保持することができるから、多くの荷を安定して保持させることが可能となる。
【００１４】
本発明のバッグでは、棚部材の支持台部の外側縁辺部は、バッグ本体の開口部からバッグ本体内へ後退した位置に設けられていることを特徴としている。
【００１５】
上記構成では、支持台部から開口部までの間にスペースが生じることになるから、荷が支持台部から開口部側に突出するような状態となったとしても、支持台部から開口部までの間のスペースが、荷の支持台部からの突出部分を吸収して、且つ弾性体が伸びてその収縮力で荷を位置保持することが可能となる。
【００１６】
本発明のバッグでは、棚部材は、その支持台部が荷を保持する保持姿勢とバッグ本体背面壁に沿うよう傾倒する傾倒姿勢とに切替え可能に設けられ、棚部材を保持姿勢と傾倒姿勢とに切替える切替え手段が設けられていることを特徴としている。
【００１７】
上記構成において、荷を棚部材に収納する際には支持台部を保持姿勢として荷を収納し、棚部材に収納できないような大きさの荷や、多くの荷をバッグ本体内に収納する場合は、切替え手段を介して棚部材を傾倒姿勢とすると、バッグ本体内の空間をほとんどそのまま利用可能となる。
【００１８】
本発明のバッグでは、切替え手段は、バッグ本体内と棚部材との間に設けられた面ファスナであることを特徴としている。
【００１９】
上記構成において、面ファスナである切替え手段によって、面ファスナの係止面と被係止面とを着脱するという簡単な動作で、棚部材を保持姿勢と傾倒姿勢に容易に切替え可能となる。
【００２０】
本発明のバッグでは、開口部はバッグ本体の上部正面壁に設けられ、別な開口部がバッグ本体の下部正面壁に設けられ、該別な開口部に対応した位置のバッグ本体内に、該バッグ本体内を棚部材が設けられる上部領域と、それ以外の下部領域とに分割する仕切り体が設けられていることを特徴としている。
【００２１】
上記構成において、仕切り体によってバッグ本体内が上部領域と下部領域とに仕切られるから、大きな荷や大きな重量の荷等を下部領域に収納し、小さな荷や小さな重量の荷を上部領域の棚部材に収納するなど、荷収納の選択の自由度が増し、利便性がよい。
【００２２】
本発明のバッグでは、仕切り体は、バッグ本体の下部正面壁に設けられた別の開口部を開放した際に、該開口部の上部よりも下方に位置していることを特徴としている。
【００２３】
上記構成において、仕切り体は、別の開口部の上部よりも下方に位置しているから、別の開口部を開放して仕切り体に荷を載せることが可能であり、逆に別の開口部を開放すれば、仕切り体に載置してある荷を取出すことも可能であり、利便性がよい。
【発明の効果】
【００２４】
本発明のバッグは、荷を棚部材の支持台部に収納するとき、荷が保持体の弾性部に接触すると、弾性部によって荷がバッグ本体の背面壁側に付勢されて保持されることになるから、荷の位置が安定し易くなる。
【発明を実施するための最良の形態】
【００２５】
以下、本発明の実施形態に係るバッグを釣行に用いるリュックサック（デイパック）を例に説明する。図１は上下の開口部を閉じた状態でのリュックサックの正面壁側からの全体斜視図、図２はリュックサックの背面壁側からの全体斜視図、図３は上部の開口部を開き下部の開口部を閉じた状態の正面壁側からの斜視図、図４（ａ）は棚部材に荷を保持した状態の斜視図、図４（ｂ）は棚部材の概略平面図、図５は上部の開口部を開放し棚部材を傾倒姿勢とした状態の斜視図、図６は上部の開口部を閉じ下部の開口部を開放した状態の斜視図、図７は仕切り体をリュック本体から取外した状態の斜視図である。
【００２６】
図１および図２に示すように、リュックサック１は、内部に釣具等の荷２（後述する）を収納可能とすべく所定の高さおよび所定の奥行き幅を有するリュック本体３を有している。リュック本体３の上部前面壁５と下部前面壁６はそれぞれ全体として下側開放のＵ字形となるよう設けられたスライドファスナ７，８を介して開閉できるようになっている。
【００２７】
下部前面壁６は、下側のスライドファスナ８のテープ部８ａの分だけをまちとして上部前面壁５に対して前方に突出している。下部前面壁６のさらに前部に短幅の面ファスナ１０を介して前収納部１１が設けられている。スライドファスナ７，８を開くことで、図３ないし図７に示すように、リュック本体３の上部前面壁５、下部前面壁６のそれぞれに、荷を収納・取出しする上部開口部１２および下部開口部１３（別な開口部に相当する）が形成されるようになる。
【００２８】
リュック本体３の湾曲した上面壁３０の前部に、手提げ用把手１４が縫着されている。手提げ用把手１４の延長部に、締付け用バックル１５が連設されている。リュック本体３の背面壁１６の上端部から下端部に渡して、背負い用ベルト１７が縫着されており、この背負い用ベルト１７は、使用者の体型に合わせてその長さを調節可能とする調節部１８を有する。リュック本体３の下部両側に、小物入れ用ポケットＰ１，Ｐ２が設けられている。
【００２９】
図６および図７に示すように、リュック本体３内を上部領域２０と、下部領域２１とに分割（二分）する仕切り体２２が設けられている。この仕切り体２２は、正面視して門形（下側開放のコ字形）に形成され、リュック本体３に面ファスナ６０，７０を介して着脱自在に設けられている。
【００３０】
仕切り体２２は、仕切り板部２６とこの仕切り板部２６の左右両側からリュック本体３の底面壁３Ｂまで垂下する脚板部２７，２８とを有する。仕切り板部２６の上面２６ａは、前記下部開口部１３を開放した際に、下部開口部１３の上部よりも所定高さＨだけ下方に位置するものである。実質的には、リュック本体３内は仕切り板部２６によって上部領域２０と、下部領域２１とに分割される。仕切り体２２部分の詳細については後述する。
【００３１】
図８はリュック本体３の正面縦断面図、図９はリュック本体３の側面中央縦断面図である。これらの断面図に示すように、リュック本体３の上面壁３０、左右の側面壁４０は、内皮４１と外皮４３と、これら内皮４１、外皮４３に介在する柔軟なクッション材４５からなる。外皮４３、内皮４１は防水性に優れた樹脂コーティング生地（例えばナイロンやポリエステルに、ポリ塩化ビニルやポリウレタンをコーティングした生地）から形成されている。
【００３２】
底面壁３Ｂは、内皮４１、その外側のクッション材４６、その外側の底板部材５０、さらにその外側の外皮４３を有している。底板部材５０は、硬質の合成樹脂製であり、外皮４３は合成皮革製あり、その外周部は反り上げられており、底面壁３Ｂの内皮４１と縫着され、底面壁３Ｂと、側面壁４０，４０、下部前面壁６、背面壁１６の下部は、底面壁３Ｂの外皮４３と同一材料の皮革部４９を介して縫着されている。
【００３３】
図９に示すように、リュック本体３の背面壁１６は、外側、すなわち使用者の背側に対応するクッション材４７と、外皮４３と、内皮４１と、内皮４１および外皮４３との間に配置してある合成樹脂製の板状部材５１とを有する。
【００３４】
図３ないし図５、図８および図９に示すように、仕切り体２２によって分割される上部領域２０で、上部開口部１２に対応する位置に、荷２を保持するための棚部材３１が上下に複数段（この場合二段）設けられている。それぞれの棚部材３１は支持台部３２と、網体３３と、弾性部材３４とを有した構成となっている。支持台部３２は前縁辺両側が平面視して円弧状（楕円状）に形成された板状に形成されている。弾性部材（弾性体）３４は帯状のゴム体である。弾性部材３４の両端部は、無負荷の状態でリュック本体３の背面壁１６の左右両側端部１６ａ，１６ｂに取付けられ、途中を前方に向けて湾曲して渡すよう、且つ支持台部３２の前側（外側）縁辺部の上方に配置されている。弾性部材３４は前記網体３３を介して支持台部３２に一体的に設けられている。なお、支持台部３２と弾性部材３４とは、棚部材３１の左右両側では、網体３３の代わりとしている取付け生地３５で連設されている。
【００３５】
棚部材３１は、その支持台部３２をほぼ水平として荷２を保持する保持姿勢Ｘと、支持台部３２がリュック本体３の内背面壁にほぼ沿う傾倒姿勢Ｙとに切替え手段を介して切替え可能に設けられている。切替え手段として左右の面ファスナ３６，３７が用いられている。この面ファスナ３６，３７は、前記取付け生地３５とリュック本体３の側部内面生地３５との間に設けられている。
【００３６】
面ファスナ３６，３７の係合面３６ａ，３７ａと被係合面３６ｂ，３７ｂとを係合することで、棚部材３１は保持姿勢Ｘとなり、面ファスナ３６，３７の係合面３６ａ，３７ａと被係合面３６ｂ，３７ｂとを離脱させることで、棚部材３１は傾倒姿勢Ｙとすることが可能となる。このとき、前述したように、特に上側の棚部材３１は、その支持台部３２の前縁辺両側が平面視して円弧状に形成されており、この曲率は、リュック本体３上部両側の曲面にほぼ合致するようになっているから、支持台部３２の前縁辺両側がリュック本体３上部両側の内面にほぼ合致する。
【００３７】
棚部材３１の支持台部３２（底部）は、合成樹脂製の板状部材５２が、保持姿勢Ｘにおいて、上下の外皮４３ａ，４３ｂに被覆されてなる。外皮４３の後部は、リュック本体３の背面壁１６の内皮４１に縫着されている。保持姿勢Ｘにおいて棚部材３１の支持台部３２から立上がる包囲部材（落下防止体）５５は、互いに一体に設けられた前側の前記網体３３、弾性部材３４、後側の前記取付け生地３５からなる。
【００３８】
面ファスナ３６，３７は、前後方向に所定の長さを有して、保持姿勢Ｘにおいて支持台部３２に荷２を載置した際に、リュック本体３の側面壁の内皮４１と一体になって荷２の負荷に耐え得るようになっている。このような棚部材３１が上下に所定間隔を置いて二段設けられている。この所定間隔とは、ある程度の高さの荷２を下方の棚部材３１の支持台部３２に載置した際に、その荷２が上方の棚部材３１と干渉しない程の距離である。なお、面ファスナ３６，３７の係止面３６ａ，３７ａと被係止面３６ｂ，３７ｂとを取外して棚部材３１を保持姿勢Ｘら傾倒姿勢Ｙとした際に、下方の棚部材３１は上方の棚部材３１に一部が重なってもよいし、重ならなくてもよい程の距離でもある。
【００３９】
次に、前述の仕切り体２２について詳述する。仕切り板部２６と脚板部２７，２８にはそれぞれ弾性を有する板状部材５８と、クッション材５９と、これら板状部材５８、クッション材５９を覆う外皮４３ｂ，４３ｃとを有する。仕切り板部２６においては、クッション材５９は板状部材５８の上側に重ねられ、脚板部２７，２８においては、クッション材５９は板状部材５８の外側に重ねられている。外皮４３ｂ，４３ｃどうしが仕切り板部２６と脚板部２７，２８との境界部で縫着されることで、仕切り体２２は、仕切り板部２６の領域と脚板部２７，２８の領域に区画されている。脚板部２７，２８は、リュック本体３（側面壁）に比べて、全体として硬質である。
【００４０】
仕切り体２２の脚板部２７，２８に設けられる面ファスナ６０，６１（係止面６０ａ，６１ａ）は帯状に形成されて、それぞれの脚板部２７，２８において、その前後幅に等しく所定の上下高さを有し、互いに上下に離間して設けられている。したがって、リュック本体３の内皮４１には面ファスナ６０，６１に対応した位置（領域）に面ファスナ６０，６１（被係合面６０ｂ，６１ｂ）が設けられている。
【００４１】
仕切り板部２６における面ファスナ７０（係合面７０ａ）は、帯状に形成されて仕切り板部２６の後端部に一辺が縫着されることで、その縫着部分を中心にフリーとなっている。リュック本体３の内皮４１の面ファスナ７０（係合面７０ａ）に対応する位置に設けられた面ファスナ７０（被係合面７０ｂ）は、内皮４１の左右幅と略同一の幅を有し、且つ所定の上下高さを有している。
【００４２】
上記構成のリュックサック１において、荷２として釣具を収納する場合を考える。釣具として、リール等の比較的大きく重量が重いもの、釣糸、釣針、浮き等の比較的小さく重量の小さいものがある。
【００４３】
これらの釣具を収納するには、収納後の安定性を考慮すれば、大重量のものを下部領域２１に収納し、軽量の荷２を上部領域２０に収納することが安定性の面から好ましい。そこで、リュック本体３の下部前面壁６はそれぞれスライドファスナ８を開くと、仕切り体２２（仕切り板部２６）によって下部領域２１が形成されているから、例えば仕切り板部２６の下方すなわち、底面壁３Ｂに、リール等の比較的大きく重量が重い荷（図示せず）を収納する。リールの替えスプール等は仕切り板部２６の上に収納（載置）する。また、釣糸、釣針、浮き等の小物は、例えば円筒状に形成した幾つかのケースにまとめて上部領域２０の棚部材３１の支持台部３２に並べるようにして収納（載置）する。さらに、仕切り板部２６の上面壁３０は、下部開口部１３を開放した際に、下部開口部１３の上部よりも所定高さＨだけ下方に位置するものであるから、下部前面壁６、あるいは上部前面壁５を開放すれば、何れからも仕切り板部２６に荷２を載置・収納することが可能である。換言すれば、仕切り板部２６に載置した荷２は、上部開口部１２、下部開口部１３の何れからも取出しが可能である。
【００４４】
ところで、上記構成のリュックサック１では、荷２をリュック本体３内に収納すると、その重さが負荷としてリュック本体３に対して働く。特に、棚部材３１はリュック本体３の上部領域２０にあって前方に向けて突となっているから、リュック本体３を地面等に載置した際には、リュック本体３の背面壁１６の下部に対して荷２の重さが前倒しの力として、モーメント力となって働くことになる。
【００４５】
しかし、本発明の実施形態では、仕切り体２２は仕切り板部２６が面ファスナ２５を介してリュック本体３に取付けられており、脚板部２７，２８が面ファスナ２３，２４を介してリュック本体３に取付けられており、特に脚板部２７，２８に設ける面ファスナ２３，２４は、リュック本体３の前後幅方向に等しい幅と所定の上下幅を有する帯状に形成されることで、リュック本体３の下部（内側面）に確実に一体化されている。
【００４６】
そして、仕切り板部２６、脚板部２７，２８には、それぞれ板状部材５８が内装されているから、仮に、リュック本体３の上部領域２０に荷２が収納されていて、その負荷がモーメント力としてリュック本体３の側面壁に働いたとしても、仕切り体２２の支持力によって、リュック本体３の側面壁や背面壁が底面壁に対して傾倒するのを効果的に抑制することができる。
【００４７】
リュック本体３の側面壁にはクッション材が内装されているが、板状部材５３を有する脚板部２７，２８が側面壁に一体化されることで、板状部材５３の硬度に伴う支持力により、上記のような傾倒を防止することが可能となる。そして、脚板部２７，２８には、仕切り板部２６が一体に形成されており、仕切り板部２６は面ファスナ７０を介して背面壁１６に一体化されているから、背面壁１６が傾倒するように働く力が仕切り板部２６、脚板部２７，２８を介して支持されることになり、仕切り板部２６が背面壁の傾倒を抑制する機能も有することになる。
【００４８】
ところで、上記のように、脚板部２７，２８の底部をリュック本体３の底部に当てるように仕切り体２２をリュック本体３に装着したとしても、仕切り板部２６を上方にわずかに湾曲させるようにリュック本体３の背面壁に取付けることが可能となる。このような湾曲形状は、両側の脚板部２７，２８に確実に支持されることで仕切り体２２を水平な状態にした場合に比べて支持力を向上させることが可能になる。すなわち、より大重量の荷２を仕切り体２２に載置した場合では、その湾曲分だけの撓みを吸収するように脚板部２７，２８がリュック本体２の側部を内側から外側に向けて押すように働いてリュック本体２の側部どうしを離間させる方向に押圧し、これによってリュック本体２の背面壁がさらに張られることになり、仕切り体２２、側面壁、背面壁がいっそう強固に一体化されるから、大重量の荷２を仕切り体２２に載置した場合でも、底面壁に対する側面壁、背面壁の傾倒を効果的に抑制することができ、リュック本体２の安定した形状を保持し易くなる。
【００４９】
ところで、棚部材３１に荷２を収納・載置したとき、その大きさ（径）が弾性部材３４を伸張させるほどのものであれば、弾性部材３４は無負荷の状態で前方突となるよう後方へ向けて湾曲した平面視形状をしているから、棚部材３１における所定方向である後方、且つ中心側へ向く収束力となって荷２に働くようになる。このため、荷２の動きを弾性部材３４の弾性力によって抑制することができる。そうすると、リュックサック１を使用者が背負って移動する場合にでも、荷２は安定しているから、違和感なく背負うことが可能になる。なお、荷２は網体３３の網目によって、その種類を目視確認することが可能であるから、利便性に優れる。
【００５０】
ところで、棚部材３１に荷２を収納する必要がない場合では、棚部材３１を、上記の荷２を保持可能な保持姿勢Ｘからリュック本体３内面に沿う傾倒姿勢に切替えることが可能である。
【００５１】
この場合、面ファスナ３６，３７を取外すという作業だけで、棚部材３１はその後縁辺を中心としてフリーとなるから、図５に示すように、各棚部材３１をその後縁辺を中心として持上げるようにする。そうすると、上側の棚部材３１の支持台部３２の前縁辺の曲率は、リュック本体３の上面壁３０の曲面にほぼ合致するようになっているから、支持台部３２の前縁辺両側がリュック本体３の上面壁３０の内面にほぼ合致するように、しっくりとその内面に沿うようになり、上部領域２０をほぼそのままのスペースとして使用することが可能となる。なお、下側の棚部材３１はその前縁辺が上側の棚部材３１の後縁辺部に前から重なる。このようにすれば、仕切り板部２６を載置台として、上部領域２０をほぼそのまま使用可能になるから、大きな荷２を収納可能となる。
【図面の簡単な説明】
【００５２】
【図１】本発明の実施形態を示すリュックサックの上下の開口部を閉じた状態でのリュックサックの正面壁側からの全体斜視図。
【図２】同じくリュックサックの背面壁側からの全体斜視図。
【図３】同じく上部の開口部を開き下部の開口部を閉じた状態の正面壁側からの斜視図。
【図４】同じく（ａ）は棚部材に荷を保持した状態の斜視図、（ｂ）は棚部材の概略平面図。
【図５】同じく上部の開口部を開放し棚部材を傾倒姿勢とした状態の斜視図。
【図６】同じく上部の開口部を閉じ下部の開口部を開放した状態の斜視図。
【図７】同じく仕切り体をリュック本体から取外した状態の斜視図。
【図８】同じくリュック本体の正面縦断面図。
【図９】同じくリュック本体の側面中央縦断面図。
【符号の説明】
【００５３】
１…リュックサック、２…荷、３…リュック本体、３Ｂ…底面壁、５…上部前面壁、６…下部前面壁、７，８…スライドファスナ、１２…上部開口部、１３…下部開口部、１６…背面壁、２０…上部領域、２１…下部領域、２２…仕切り体、２３，２４，２５…面ファスナ、２６…仕切り板部、２６ａ…上面、２７，２８…脚板部、３０…上面壁、３１…棚部材、３２…支持台部、３３…網体、３４…弾性部材、３５…取付け生地、３６，３７…面ファスナ、３６ａ，３７ａ…係合面、３６ｂ，３７ｂ…被係合面、４１…内皮、４３…外皮、４３ａ，４３ｂ…外皮、４５…クッション材、５０…底板部材、５２…板状部材、５５…包囲部材、５８…板状部材、５９…クッション材、７０…面ファスナ、Ｘ…保持姿勢、Ｙ…傾倒姿勢
【図１】
2007195874.tif 000003
【図２】
2007195874.tif 000004
【図３】
2007195874.tif 000005
【図４】
2007195874.tif 000006
【図５】
2007195874.tif 000007
【図６】
2007195874.tif 000008
【図７】
2007195874.tif 000009
【図８】
2007195874.tif 000010
【図９】
2007195874.tif 000011